(57)【要約】【課題】深い興趣を遊技者に与えるようにする。【解決手段】センター役物３０は、左右方向に延び中央の頂上部７３に向かうにつれて徐々に高くなる通路部７２と、頂上部７３上のパチンコ球が奥方向に流れることを許容する奥方向流出許容部５６と、頂上部７３の下方に形成され通路部７２を基準に奥側及び手前側の両空間を連通させる流出孔部７６と、通路部７２の奥側に設けられた左右一対の揺動部材９０ａ，９０ｂとを有する。各揺動部材９０ａ，９０ｂは、基本状態においては、通路部７２上のパチンコ球が奥側に外れることを阻止し、先端流出部９４が奥方向流出許容部５６に対応した上昇位置にあり、下方傾斜状態においては、通路部７２上のパチンコ球が奥側に外れて背後通路部９２に移行することを許容し、背後通路部９２が先端部に向かうにつれて下方に向かい、先端流出部９４が流出孔部７６に対応した下降位置にある。【選択図】図２
2005027915.tif 000002
【特許請求の範囲】
【請求項１】
役物を有する弾球遊技機であって、
前記役物は、
左右方向に延び左右の各端部又はその近傍から左右方向におけるほぼ中央の頂上部に向かうにつれてほぼ徐々に高くなる通路部と、
前記通路部の前記頂上部の近傍に設けられ、前記頂上部に位置する遊技球が奥方向に流れることを許容する奥方向流出許容部と、
前記頂上部の下方に形成され、前記通路部を基準に奥側の空間と手前側の空間とを連通させる流出部と、
前記通路部の左半部及び右半部に各々対応して前記通路部の奥側に設けられ、左右方向に延びる背後通路部を有し、その先端部に先端流出部を有し、基本状態と下方傾斜状態との間を揺動可能な左右一対の揺動部材と
を有し、
前記各揺動部材は、前記基本状態においては、前記通路部上の遊技球が前記奥方向流出許容部以外において当該通路部から奥側に外れることを阻止し、前記先端流出部は前記奥方向流出許容部に対応した上昇位置にあり、前記下方傾斜状態及びその近傍の状態においては、前記通路部上の遊技球が前記奥方向流出許容部以外において当該通路部から奥側に外れて前記背後通路部に移行することを許容し、前記背後通路部が前記先端流出部に向かうにつれてほぼ下方に向かい、前記下方傾斜状態においては、前記先端流出部は前記流出部に対応した下降位置にあるものである、
弾球遊技機。
【請求項２】
請求項１に記載の弾球遊技機であって、
前記一対の揺動部材には流出方向変更部が各々設けられ、
下方傾斜状態にある一方の前記揺動部材の上面を転動して前記流出部から流出しようとする遊技球に対して、基本状態にある他方の前記揺動部材の前記流出方向変更部が、その流出方向を変更させるものである、
弾球遊技機。
【請求項３】
請求項１又は請求項２に記載の弾球遊技機であって、
前記役物の前記流出部の下方に遊技球が入賞する入賞口が設けられている、
弾球遊技機。
【発明の詳細な説明】
【技術分野】
【０００１】
本発明は、パチンコ機等の弾球遊技機に関するものである。
【背景技術】
【０００２】
特許文献１には、弾球遊技機のセンター役物について、次の技術が開示されている。
そのセンター役物のうちの下部には、可動球受板が、モータの回転軸との間に設けられたカム機構によって、上昇位置と下降位置との間を移動可能に設けられている。
そして、センター役物内に遊技球が流入してくる時点で可動球受板がいずれの位置にあるかによって、その遊技球の流出方向が異なることになる。
このようにして遊技球の流れに変化が与えられ、遊技者に興趣が与えられる。
【０００３】
しかしながら、上記従来のセンター役物では、モータの回転に基づく可動球受板の上下動によって遊技球の流出方向が左右されるものであるため、その遊技球の流れの変化にある程度の規則性が存在する。
このため、遊技球の流れの変化について遊技者がかなりの程度の予測をすることが可能となり、遊技者に対してあまり深い興趣を与えることができなかった。
【特許文献１】特開平６−３０４３０２公報
【発明の開示】
【発明が解決しようとする課題】
【０００４】
本発明は、役物においてさらに深い興趣を遊技者に与えることができる弾球遊技機を提供することを目的とする。
【課題を解決するための手段】
【０００５】
上記の目的を達成するために、請求項１に係る発明は、役物を有する弾球遊技機であって、前記役物は、左右方向に延び左右の各端部又はその近傍から左右方向におけるほぼ中央の頂上部に向かうにつれてほぼ徐々に高くなる通路部と、前記通路部の前記頂上部の近傍に設けられ、前記頂上部に位置する遊技球が奥方向に流れることを許容する奥方向流出許容部と、前記頂上部の下方に形成され、前記通路部を基準に奥側の空間と手前側の空間とを連通させる流出部と、前記通路部の左半部及び右半部に各々対応して前記通路部の奥側に設けられ、左右方向に延びる背後通路部を有し、その先端部に先端流出部を有し、基本状態と下方傾斜状態との間を揺動可能な左右一対の揺動部材とを有し、前記各揺動部材は、前記基本状態においては、前記通路部上の遊技球が前記奥方向流出許容部以外において当該通路部から奥側に外れることを阻止し、前記先端流出部は前記奥方向流出許容部に対応した上昇位置にあり、前記下方傾斜状態及びその近傍の状態においては、前記通路部上の遊技球が前記奥方向流出許容部以外において当該通路部から奥側に外れて前記背後通路部に移行することを許容し、前記背後通路部が前記先端流出部に向かうにつれてほぼ下方に向かい、前記下方傾斜状態においては、前記先端流出部は前記流出部に対応した下降位置にあるものである、弾球遊技機である。
【０００６】
「頂上部に向かうにつれてほぼ徐々に高くなる」とは、そのうちの一部にほぼ水平又は低くなる部分があっても、全体として徐々に高くなるものであれば、それも含まれるという意味である。
同様に、「その先端部に向かうにつれてその上面がほぼ下方に向かい、」とは、そのうちの一部にほぼ水平又は上方に向かう部分があっても、全体として下方に向かうものであれば、それも含まれるという意味である。
【０００７】
上記発明の弾球遊技機では、通路部のうちの左右のいずれかの端部又はその近傍に流入した遊技球は、揺動部材の状態及びその遊技球の勢いによって、次のような種々のパターンで転動する。
【０００８】
すなわち、遊技球が流入した通路部に対応する揺動部材が基本状態にあり、その遊技球にあまり勢いがない場合は、その遊技球は、揺動部材によって通路部から奥側に外れることが阻止されつつ、頂上部に向かって通路部を転動（上昇）する。
しかしながら、その遊技球にあまり勢いがないために、その遊技球は頂上部にまでは至らず、通路部から手前側に落下する。
【０００９】
また、遊技球が流入した通路部に対応する揺動部材が同じく基本状態にあり、その遊技球に勢いがある場合には、その遊技球は、揺動部材によって通路部から奥側に外れることが阻止されつつ、頂上部に向かって通路部を転動（上昇）し、頂上部にまで至る。
その後、その遊技球は、奥方向流出許容部を経て通路部（頂上部）よりも奥側に転動し、基本状態にある揺動部材の先端流出部（上昇位置に位置する）に移行する。そして、遊技球の重量によって、揺動部材の先端流出部が下降位置に移動するように当該揺動部材が揺動して下方傾斜状態になる。
その後、その遊技球は、下降位置にある揺動部材の先端流出部から流出部を通って、通路部を基準に手前側の空間に流出する。
【００１０】
また、遊技球が流入した通路部に対応する揺動部材が上述のようにして下方傾斜状態又はその近傍の状態にある場合には、その通路部上の遊技球は、奥方向流出許容部以外において、その通路部から奥側に外れて、その揺動部材の背後通路部に移行する。
その揺動部材（下方傾斜状態又はその近傍の状態）の背後通路部は、先端流出部に向かうにつれてほぼ下方に向かっているため、それに沿ってその遊技球はその揺動部材の背後通路部を先端流出部に向かって転動する。また、上述のように遊技球が移行した際（その直前）に揺動部材が下方傾斜状態の近傍の状態であった場合には、遊技球の重量によって下方傾斜状態となる。
そして、その揺動部材の先端流出部（下降位置に位置する）に至った遊技球は、流出部を通って、通路部を基準に手前側の空間に流出する。
【００１１】
以上のように、この弾球遊技機（役物）では、遊技球の勢いによって異なるパターンで遊技球が転動する。また、それに伴って揺動部材が基本状態と下方傾斜状態との間を変位し、それに伴って遊技球の転動パターンがより多様なものとなる。
このように、この弾球遊技機では、遊技球の流れに大きな多様性があり、遊技者に対して深い興趣を与えることができる。
【００１２】
請求項２に係る発明は、請求項１に係る発明の弾球遊技機であって、前記一対の揺動部材には流出方向変更部が各々設けられ、下方傾斜状態にある一方の前記揺動部材の上面を転動して前記流出部から流出しようとする遊技球に対して、基本状態にある他方の前記揺動部材の前記流出方向変更部が、その流出方向を変更させるものである、弾球遊技機である。
【００１３】
「流出方向を変更させる」の一例として、「左右方向の大きさに対して下方成分の大きさを相対的に大きくさせるように流出方向を変更させる」がある。
【００１４】
上記の発明の弾球遊技機では、請求項１に係る発明の弾球遊技機の作用及び効果に加えて、次の作用及び効果が得られる。
すなわち、下方傾斜状態の一方の揺動部材の上面を転動して流出部から流出しようとする遊技球は、下方傾斜状態の揺動部材の上面を転動する際に付与された方向の勢いに基づいて流出部から流出しようとする。しかしながら、この弾球遊技機では、その際に基本状態の他方の揺動部材の流出方向変更部によって、その流出方向が変更される。
こうして、この弾球遊技機では、遊技者に対して意外な印象を与え、深い興趣を与えることができる。
【００１５】
請求項３に係る発明は、請求項１又は請求項２に係る発明の弾球遊技機であって、前記役物の前記流出部の下方に遊技球が入賞する入賞口が設けられている、弾球遊技機である。
【００１６】
上記の発明の弾球遊技機では、請求項１又は請求項２に係る発明の弾球遊技機の作用及び効果に加えて、次の作用及び効果が得られる。
すなわち、上記の発明の弾球遊技機では、流出部の下方に入賞口が設けられており、遊技球が役物内においてどのようなパターンで転動し役物から流出するかによって、その遊技球が入賞口に入賞する可能性が左右される。
このように、この弾球遊技機では、遊技球が多様なパターンで役物内を転動し流出するとともに、それと関連してその遊技球が入賞口に入賞する可能性が変動して、遊技者に対して深い興趣を与えることができる。
【発明の効果】
【００１７】
以上のように、本発明の弾球遊技機では、遊技球の流れに大きな多様性が生じ、遊技者に対して深い興趣を与えることができる。
【発明を実施するための最良の形態】
【００１８】
次に、本発明の一実施形態を図面に基づいて説明する。
図１に示すように、このパチンコ機（弾球遊技機）はほぼ鉛直な遊技盤１０を有し、その下方には、ハンドル１２や賞球払い出し装置（図示省略）が設けられている。ハンドル１２は、パチンコ球（遊技球）の発射操作をするものであり、賞球払い出し装置は、各入賞口（後述）にパチンコ球が入賞した場合にパチンコ球を賞球として払い出すものである。
【００１９】
遊技盤１０には、外側レール１５及び内側レール１６が設けられており、内側レール１６の内側が遊技領域（符号省略）とされ、外側レール１５と内側レール１６の間の部分が、発射された直後のパチンコ球が通る通路（符号省略）とされている。そして、遊技者がハンドル１２を操作することによって発射されたパチンコ球は、通路を通り、遊技領域へと導かれるのである。
【００２０】
遊技盤１０（遊技領域）には、多数の釘（図示省略）や風車２６が設けられているとともに、複数の普通入賞口（図示省略）が設けられている。普通入賞口にパチンコ球が入った場合には、例えば６又は１３個のパチンコ球が賞球として賞球払い出し装置から払い出される。
【００２１】
遊技盤１０のほぼ中央にはセンター役物３０が設けられている。センター役物３０の下方には始動入賞口２２が設けられ、その下方には大入賞口２４が設けられている。
【００２２】
センター役物３０には、表示部３２が設けられている。表示部３２は液晶によって構成され、種々の図柄が表示される。
すなわち、始動入賞口２２にパチンコ球が入る（これを入賞という）と、表示部３２における図柄が所定の時間変動表示され、その後、最終的な図柄が静止表示される。静止表示された図柄には「当たり」と「はずれ」があり、「当たり」の場合（例えば「７７７」）には、大入賞口２４が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。これをセンター役物３０が遊技者に与える特別な利益ということとする。
【００２３】
図２〜図４に示すように、センター役物３０は、基枠部材４０，裏枠部材６０，手前側通路部材７０，左右一対の流入部材８０ａ，８０ｂ，左右一対の揺動部材９０ａ，９０ｂを有している。各部材は、所定の部材に形成されたビス孔（符号省略）を通して所定の部材に形成されたビス穴（符号省略）にビス（図示省略）が螺合されることによって結合されている。
センター役物３０は、左右対称の形状を有している。
【００２４】
図３及び図４に示すように、基枠部材４０は、ほぼ四角形状の開口部４２を有している。開口部４２の左右両側及び上部にわたってフランジ部４４が形成されている。基枠部材４０（フランジ部４４）のうちの上部には、上部装飾部材４８が取り付けられている。
【００２５】
裏枠部材６０は、基枠部材４０の裏側（奥側）に対して取り付けられている。
裏枠部材６０も、ほぼ四角形状の開口部６２を有している。開口部６２の周囲にはフランジ部６４が形成されている。開口部６２の裏側には、表示部材（図示省略）が取り付けられる。表示部材は表示部３２（前述）を有し（図１）、表示部３２は、開口部４２及び開口部６２を通して手前側から視認される。
【００２６】
図２〜図４に示すように、開口部６２の上縁部及び左右の側縁部は、開口部４２の上縁部及び左右の側縁部にほぼ対応している。開口部６２の下縁部は開口部４２の下縁部よりも高い位置にあり、フランジ部６４のうちの開口部６２よりも下側の部分は奥側基板部６５とされている。パチンコ球は、手前側通路部材７０より奥側に位置する際において（後に詳述）、奥側基板部６５によって、それ以上奥方向に転動することが阻止される。
【００２７】
図３及び図４に示すように、基枠部材４０のうちの下部には、基板部５０が設けられている。基板部５０はほぼ鉛直に、かつ、開口部４２の左右の両端部の間にわたって形成されている。
基板部５０の中央部には、開口状の流出孔部５２が形成されている。流出孔部５２の上部には、左右一対の上方突出部５４ａ，５４ｂが形成されている。両上方突出部５４ａ，５４ｂの間には、パチンコ球が通過可能な間隔を有する奥方向流出許容部５６が形成されている。
基枠部材４０の裏側のうちの左右の各端部の基板部５０の近傍には、支軸部５８が形成されている。支軸部５８は奥方向に向かって延びている。
【００２８】
図２〜図４に示すように、手前側通路部材７０は、基板部５０の前面に対して取り付けられている。
手前側通路部材７０の上面は、通路部７２とされている。通路部７２は、左右の各端部から中央部（頂上部７３ということとする）に向かうにつれて徐々に高くなるように曲面状をしている。
通路部７２の高さと、基板部５０（上方突出部５４ａ，５４ｂを除く）の上縁部の高さとはほぼ一致している。
【００２９】
各流入部材８０ａ，８０ｂは、基枠部材４０のフランジ部４４（左右両側の部分）のうちの下部及び手前側通路部材７０の前面のうちの左右の各端部の近傍にわたる部分に対して取り付けられている。
各流入部材８０ａ，８０ｂには、その前部から内側（左側の流入部材８０ａにおいては右側）の端部にわたって遮板部８１が形成されている。それによって、各流入部材８０ａ，８０ｂの外側の端部に流入部８２が形成され、各流入部材８０ａ，８０ｂの内側の端部の近傍に落下部８３が形成されている。各流入部材８０ａ，８０ｂの落下部８３は、通路部７２の左右の各端部の近傍のすぐ上流側に位置する。
各流入部材８０ａ，８０ｂの底部は、流入部８２から落下部８３に至るにつれて徐々に下方に向かうように下り坂状となっている。
こうして、流入部材８０ａ，８０ｂを流れて落下部８３から落下するパチンコ球には、中央側（左側の流入部材８０ａにおいては右側）に向かうとともに奥側に向かう方向に、勢いが付与される。
【００３０】
手前側通路部材７０の通路部７２のうちの各流入部材８０ａ，８０ｂの落下部８３に対応する部分よりも若干中央部よりの部分には、凹部状の手前側落下ガイド部７４が形成されている。手前側落下ガイド部７４は、奥側から手前側に向かうにつれて若干下方に向かうように傾斜している。
【００３１】
手前側通路部材７０の中央部には、流出孔部７６が形成されている。流出孔部７６は、手前側通路部材７０を奥行方向に貫通している。流出孔部７６は、流出孔部５２に対応して形成されている。
流出孔部５２及び流出孔部７６が本発明の流出部に対応する。
【００３２】
各揺動部材９０ａ，９０ｂは、手前側通路部材７０のすぐ奥側であって、裏枠部材６０の奥側基板部６５のすぐ手前側において、基本状態（図２，図５Ａ・図５Ｂ，図６Ａ等）と下方傾斜状態（図６Ｃ等）との間を揺動可能に設けられている。
【００３３】
図３及び図４に示すように、各揺動部材９０ａ，９０ｂは、ほぼ棒状の本体部９１を有している。本体部９１の上面は背後通路部９２とされており、本体部９１の前面は遮断面９３とされている。
本体部９１の先端部には、段差部を介して、背後通路部９２よりも低い位置に先端流出部９４が形成されている。先端流出部９４（その底面）は、奥側から手前側に向かうにつれて若干下方に向かうように傾斜している。
先端流出部９４の下部には、下方突出部９７が形成されている。この下方突出部９７が、本発明の流出方向変更部に該当する。
【００３４】
本体部９１の基端部には軸孔部９５が形成されている。軸孔部９５は、支軸部５８に対応して形成されている。各揺動部材９０ａ，９０ｂは、軸孔部９５において支軸部５８に対して揺動（回動）可能に取り付けられている。
各揺動部材９０ａ，９０ｂには、奥方突出軸部９８が形成されている。裏枠部材６０の奥側基板部６５には、奥方突出軸部９８に対応して長孔部６６ａ，６６ｂが形成されており、奥方突出軸部９８は長孔部６６ａ，６６ｂに対して摺動可能に挿通されている。
こうして、各揺動部材９０ａ，９０ｂが、基本状態と下方傾斜状態との間を支軸部５８を中心に揺動するようにされている。
【００３５】
各揺動部材９０ａ，９０ｂのうち軸孔部９５を挟んで本体部９１とは反対側の部分には、重量部９６が形成されている。重量部９６には重り（図示省略）が内蔵されている。
こうして、本体部９１と重量部９６とが重力的に釣り合う（または、重量部９６の方が若干重い）ことによって、図２，図５Ａ・図５Ｂ，図６Ａ等に示すように、基本状態においては、背後通路部９２がほぼ水平状態となっている。
基本状態においては、背後通路部９２は通路部７２（通路部７２のうちの対応する各部分）よりも高い位置にあり、各遮断面９３は通路部７２（奥方向流出許容部５６に対応する部分である頂上部７３及びその近傍を除く）の背後を遮断する。
また、基本状態において、両先端流出部９４は上昇位置にあり、その高さは、手前側通路部材７０の通路部７２のうちの頂上部７３の高さとほぼ同一であり（または、頂上部７３より若干低い位置に位置し）、両揺動部材９０ａ，９０ｂの先端流出部９４は近接している。
【００３６】
図６Ｃ，図７Ａ等に示すように、各揺動部材９０ａ，９０ｂが下方傾斜状態（図６Ｃ）及びその近傍の状態（図７Ａ）にある状態においては、背後通路部９２が、その基端部から先端部に向かうにつれて徐々に下方に向かうように（すなわち低くなるように）傾斜する。そして、通路部７２（基板部５０を含む）のうち、一対の上方突出部５４ａ，５４ｂに対応する部分よりも若干左右の端側の部分の背後を遮断しない。すなわち、その部分における背後通路部９２は、対応する通路部７２とほぼ同一の高さ又はそれより低い位置にある。
図６Ｃに示すように、各揺動部材９０ａ，９０ｂが下方傾斜状態にある状態において、各先端流出部９４は下降位置にあり、各先端流出部９４は流出孔部５２，７６のすぐ奥側に位置し、その高さは流出孔部５２，７６の下縁部よりも若干高い位置にある。
【００３７】
次に、このパチンコ機の作用及び効果について、図５Ａ〜図７Ｅに基づいて説明する。
遊技盤１０（図１参照）上を転動したパチンコ球Ｂが左側の流入部材８０ａに流入した場合を説明する。なお、前述したように、このセンター役物３０は左右対称の構造を有しているため、右側の流入部材８０ｂに流入した場合も同様である。
【００３８】
図５Ａ，図６Ａ，図７Ａに示すように、パチンコ球Ｂは、流入部８２から流入部材８０ａ内に流入し、流入部材８０ａ内を転動し、落下部８３から手前側通路部材７０の通路部７２に流入する。流入部材８０ａ（落下部８３）から落下し通路部７２に流入するパチンコ球Ｂには、前述したように、右方向へ向かうとともに奥側へ向かう方向に勢いが付与されている。
【００３９】
そして、図５Ａ，図６Ａに示すように、揺動部材９０ａ（９０ｂ）が基本状態にある場合（第１のパターン・第２のパターン）には、パチンコ球Ｂは、揺動部材９０ａの遮断面９３によって奥側に移動することが阻止されつつ、頂上部７３に向かって通路部７２（上り坂状）を右方向に転動（上昇）する。
【００４０】
図５Ａに示すように、パチンコ球Ｂに勢いがあまりない場合（第１のパターン）には、通路部７２の頂上部７３にまで至らず、図５Ｂに示すように、途中から通路部７２（下り坂状）を逆方向（左方向）に転動（下降）する。そして、パチンコ球Ｂは、手前側落下ガイド部７４によってガイドされて手前側に落下する。
その下方には始動入賞口２２は存在しておらず、始動入賞口２２に入賞する可能性は非常に低いことになる。
【００４１】
図６Ａに示すように、パチンコ球Ｂにある程度以上の勢いがある場合（第２のパターン）には、そのパチンコ球Ｂは通路部７２を右方向に転動（上昇）して、頂上部７３にまで至る。そして、そのパチンコ球Ｂは、一対の上方突出部５４ａ，５４ｂの間の奥方向流出許容部５６から奥側に移動する。こうして、そのパチンコ球Ｂは、両揺動部材９０ａ，９０ｂの両先端流出部９４の上に移行する。
【００４２】
そして、図６Ｂ・図６Ｃに示すように、パチンコ球Ｂの重量によって、両揺動部材９０ａ，９０ｂは揺動して下方傾斜状態となる（両先端流出部９４が下降位置まで下降する）。
そして、図６Ｃに示すように、パチンコ球Ｂは、下方傾斜状態の両揺動部材９０ａ，９０ｂの両先端流出部９４（下降位置に位置する）から、流出孔部５２，流出孔部７６を通って、このセンター役物３０から流出（落下）する。
始動入賞口２２は、その下方に存在しており、上述のようにセンター役物３０内を流れて流出したパチンコ球Ｂについては、始動入賞口２２に入賞する可能性が高いことになる。
【００４３】
なお、図６Ａにおいてパチンコ球Ｂの右方向への勢いが非常に大きい場合は、そのパチンコ球Ｂは、通路部７２を右方向に転動し（ここまでは第２のパターン等と同じ）、頂上部７３を越えて、通路部７２のうち頂上部７３よりも右側の部分を右方向へ転動し、右側の手前側落下ガイド部７４から手前側に落下する。なお、パチンコ球Ｂが基枠部材４０の開口部４２のうちの右下部分（通路部７２の右側の終端部を形成する）に衝突して跳ね返った後に、そのように落下する場合もある。
このように右側の通路部７２から手前側に落下する場合は、前述の第１のパターン（図５Ｂ）と同一視され得る。
【００４４】
上述の第２のパターンにおいて揺動部材９０ａ，９０ｂが下方傾斜状態となってパチンコ球Ｂが流出した場合には（図６Ｃ）、その揺動部材９０ａ，９０ｂは基本状態に戻ろうとする。
しかしながら、図７Ａに示すように、揺動部材９０ａ，９０ｂが基本状態に戻る前の状態の場合において、次のパチンコ球Ｂが流入部材８０ａを経て、手前側通路部材７０の通路部７２を流れる場合がある（第３のパターン）。
その際は、揺動部材９０ａ（９０ｂ）の遮断面９３が通路部７２の背後を確実には遮断しておらず、図７Ｂに示すように、そのパチンコ球Ｂは、通路部７２から揺動部材９０ａの背後通路部９２に移行する。これによって、揺動部材９０ａは下方傾斜状態のままとなる（又は、一旦基本状態に戻りかけた後に再度下方傾斜状態となる）。一方、右側の揺動部材９０ｂは、上述のようにパチンコ球Ｂが流入しないことによって、基本状態に戻る。
【００４５】
そして、図７Ｃに示すように、左側の揺動部材９０ａの背後通路部９２（下り坂状）を右方向に転動するパチンコ球Ｂは、先端流出部９４に移行し、図７Ｄに示すように、先端流出部９４から流出孔部５２，流出孔部７６を通って落下する。
そのパチンコ球Ｂが先端流出部９４から流出する直前には、そのパチンコ球Ｂは、基本状態の右側の揺動部材９０ｂの下方突出部９７に当接する。このため、そのパチンコ球Ｂにおいては、それによって右方向へ向かう勢いが減殺される。こうして、本来（下方突出部９７に当接しない場合）パチンコ球Ｂは右方向への成分が大きい右下方向に流出するところ（それを２点鎖線で示す）、右方向への成分が小さい右下方向へ流出（落下）する。
このため、上述のようにセンター役物３０内を流れて流出したパチンコ球Ｂについては、始動入賞口２２に入賞する可能性が中程度となる。
【００４６】
以上のように、このパチンコ機（センター役物３０）では、パチンコ球Ｂの勢いによって異なるパターンで、そのパチンコ球Ｂがセンター役物３０内を転動する。また、それに伴って揺動部材９０ａ，９０ｂが基本状態と下方傾斜状態との間を変位し、それに伴ってパチンコ球Ｂの転動パターンがより多様なものとなる。
このように、このパチンコ機では、パチンコ球Ｂの流れに大きな多様性があり、遊技者に対して深い興趣を与えることができる。
【００４７】
そして、このパチンコ機では、上述のようにパチンコ球Ｂが多様なパターンでセンター役物３０内を転動し流出することにに関連して、パチンコ球Ｂが始動入賞口２２に入賞する可能性が変動する。このため、その点でも、遊技者に対して深い興趣を与えることができる。
【００４８】
なお、上記のものはあくまで本発明の一実施形態にすぎず、当業者の知識に基づいて種々の変更を加えた態様で本発明を実施できることはもちろんである。
【図面の簡単な説明】
【００４９】
【図１】本発明の一実施形態のパチンコ機の正面図である。
【図２】本発明の一実施形態のパチンコ機のセンター役物の斜視図である。
【図３】本発明の一実施形態のパチンコ機のセンター役物の分解斜視図である。斜め前方から見た図である。
【図４】本発明の一実施形態のパチンコ機のセンター役物の分解斜視図である。斜め後方から見た図である。
【図５Ａ】本発明の一実施形態のパチンコ機（センター役物）の作用を説明する図（部分図）である。第１のパターンの場合を示す（このことは、図５Ｂにおいても同様である）。（ａ）は斜視図（一部破断）であり、（ｂ）は正面図である（このことは、図５Ｂ〜図７Ｄにおいても同様である）。
【図５Ｂ】本発明の一実施形態のパチンコ機（センター役物）の作用を説明する図である。図５Ａの次の段階を示す。
【図６Ａ】本発明の一実施形態のパチンコ機（センター役物）の作用を説明する図である。第２のパターンの場合を示す（このことは、図６Ｂ，図６Ｃにおいても同様である）。
【図６Ｂ】本発明の一実施形態のパチンコ機（センター役物）の作用を説明する図である。図６Ａの次の段階を示す。
【図６Ｃ】本発明の一実施形態のパチンコ機（センター役物）の作用を説明する図である。図６Ｂの次の段階を示す。
【図７Ａ】本発明の一実施形態のパチンコ機（センター役物）の作用を説明する図である。第３のパターンの場合を示す（このことは、図７Ｂ〜図７Ｄにおいても同様である）。
【図７Ｂ】本発明の一実施形態のパチンコ機（センター役物）の作用を説明する図である。図７Ａの次の段階を示す。
【図７Ｃ】本発明の一実施形態のパチンコ機（センター役物）の作用を説明する図である。図７Ｂの次の段階を示す。
【図７Ｄ】本発明の一実施形態のパチンコ機（センター役物）の作用を説明する図である。図７Ｃの次の段階を示す。
【符号の説明】
【００５０】
２２  始動入賞口（入賞口）
３０  センター役物（役物）
５２  流出孔部（流出部）
５６  奥方向流出許容部
７２  通路部
７３  頂上部
７６  流出孔部（流出部）
９０ａ，９０ｂ  揺動部材
９２  背後通路部
９４  先端流出部
９７  下方突出部（流出方向変更部）
Ｂ  パチンコ球（遊技球）
【図１】
2005027915.tif 000003
【図２】
2005027915.tif 000004
【図３】
2005027915.tif 000005
【図４】
2005027915.tif 000006
【図５Ａ】
2005027915.tif 000007
【図５Ｂ】
2005027915.tif 000008
【図６Ａ】
2005027915.tif 000009
【図６Ｂ】
2005027915.tif 000010
【図６Ｃ】
2005027915.tif 000011
【図７Ａ】
2005027915.tif 000012
【図７Ｂ】
2005027915.tif 000013
【図７Ｃ】
2005027915.tif 000014
【図７Ｄ】
2005027915.tif 000015